(57)【要約】【課題】装置筐体へのパッケージの実装方式をワイド・フレキシブル化するのに製造コストが嵩み実装形態の変更作業も容易でない。【解決手段】パッケージガイドは各種寸法のパッケージに対応し、パッケージを挿抜可能とするためのガイドレールが両側板の内側に設けられている。ガイド保持金具は、装置筐体のパッケージ実装幅に対して複数のパッケージガイドが実装される実装段では、隣り合うパッケージガイドを結合する。ガイド保持金具は、装置筐体のパッケージ実装段方向に連結可能であって、該連結の始端が隣り合うパッケージガイド、終端が装置筐体または上段のパッケージガイドの底板に固定される。【選択図】図３
2012028599.tif 000002
【特許請求の範囲】
【請求項１】
基準パッケージの複数倍のスロット幅または部品搭載高を有する各種寸法のパッケージを装置筐体に混載できるパッケージ実装構造であって、
前記パッケージを挿抜可能とするためのガイドレールが両側板の内側に設けられた前記各種寸法対応のパッケージガイドと、
前記装置筐体のパッケージ実装幅に対して複数の前記パッケージガイドが実装される実装段では、隣り合うパッケージガイドを結合するガイド保持金具を有し、
前記ガイド保持金具は、前記装置筐体のパッケージ実装段方向に連結可能であって、該連結の始端が前記隣り合うパッケージガイド、終端が前記装置筐体または上段のパッケージガイドの底板に固定されることを特徴とするパッケージ実装構造。
【請求項２】
前記パッケージガイドは、
底板の左右に前記ガイドレールが施されている側板を有して前面および背面が開口し、
前記前面の左右の端には前面と平行かつ側板の外側に向けて側板の高さと等しい高さの取付部が形成され、
前記取付部は前記装置筐体または前記ガイド保持金具に固定するための取付穴を有することを特徴とする請求項１に記載のパッケージ実装構造。
【請求項３】
前記複数倍のスロット幅対応のパッケージガイドの底板前面の中央には前記ガイド保持金具を取り付けるための取付穴を有することを特徴とする請求項２に記載のパッケージ実装構造。
【請求項４】
前記ガイド保持金具は、等しい板厚の大きい方形と小さい方形が部分的な重なりを持つように、ずらされて結合されたものを単体とし、前記連結は、小さい方形の上に次のガイド保持金具の単体の大きい方形が宛がわれることにより行なわれることを特徴とする請求項１〜３に記載のパッケージ実装構造。
【発明の詳細な説明】
【技術分野】
【０００１】
本発明は、パッケージ実装構造、特に、プリント基板上に各種の電気・電子部品が搭載された、サイズの異なるパッケージをプラグイン方式で実装するための構造に関する。
【背景技術】
【０００２】
この種の一般的なパッケージ実装構造を図６に例示する。図６において、装置筐体は、２列５段にパッケージの挿抜を可能とするべく、左右の枠および中央枠にガイドレールが施されている。装置筐体の背面には、配線が施され、またコネクタが実装されており、これによってパッケージの間を接続して通信装置等が形成される。
【０００３】
このパッケージ実装構造では、パッケージを実装するためのガイドレールが装置筐体内に固定化されているため、一定のスロット幅のパッケージしか実装できない。そのため、回路規模が大きく搭載部品が１スロット幅のパッケージ１枚に実装しきれない場合には、高さ方向にしか実装の余裕が無いので、パッケージを縦方向に２段重ねすることになる。従って、パッケージ表徴部品・操作箇所が２枚のパッケージに分かれてしまうので製造コストが高くなり、分割パッケージ間のケーブル接続による信号波形劣化やノイズの混入および放射が生じ易い。
【０００４】
このような問題を一掃するために、例えば、システムフレームの底板から段重ねに積重される単位支柱の集合体より成る支柱部分をシステムフレームの両側板間に設け、支柱部分は存否を含めて積重数を可変とし、両側板間または側板と支柱部分との間にモジュール基板を実装する構造としたモジュールシステムフレームが知られている。支柱部分によって、両側板間を仕切ることができ、シングルサイズ、ダブルサイズ、トリプルサイズ等異なったスロット幅のモジュール基板を混在して実装可能にしたものである。
【０００５】
しかし、この構造では、支柱部分は積重数が可変であり全体の取外し除去が可能であるけれども、支柱部分の奥行き寸法は側板の奥行きに略等しいから、後で装置のモジュール基板構成を変更し、異なったサイズのモジュール基板と入れ替える実装形態の変更作業は容易でないと考えられる。更に、両側板の内側および単位支柱の両側に、モジュール基板を挿抜するためのガイドレールを施しておくことが必要とされるため製造コストが嵩むことが予想される。
【０００６】
また、プリント基板の厚さ方向のサイズが増加した場合にも対応できるようにして、搭載枠を介してプラグインユニットをシェルフに実装するとともに、搭載枠にはプラグインユニットの大きさに応じて設置位置が変えられるセンターガイドレールを有するようにしたプラグインユニット実装構造も公知である。
【０００７】
しかし、この構造では、プラグインユニットを搭載枠に実装するためのガイドレールの他に、搭載枠をシェルフに実装するためのガイドレールをも必要とするため製造コストが嵩んでくると考えられる。更に、センターガイドレールの奥行き寸法は側板の奥行きに略等しいから、後で装置のプラグインユニット構成を変更し、異なったサイズのプラグインユニットと入れ替える実装形態の変更作業は容易でないと考えられる。
【先行技術文献】
【特許文献】
【０００８】
【特許文献１】特開２００５−０２６３８８
【特許文献２】特開２００９−２１８４８７
【発明の開示】
【発明が解決しようとする課題】
【０００９】
解決しようとする問題点は、装置筐体へのパッケージの実装方式をワイド・フレキシブル化するに当たり、製造コストが嵩み実装形態の変更作業も容易でない点である。
【課題を解決するための手段】
【００１０】
本発明は、製造コストを低減し実装形態の変更作業を容易化するために、パッケージのスロット幅に応じて取付け／取外しが自由にできる差込み式のパッケージガイドと、装置筐体の前面でパッケージガイドを結合し複数個の連結が可能なガイド取付金具を設けことを最も主要な特徴とする。
【発明の効果】
【００１１】
本発明のパッケージ実装構造は、パッケージを挿抜可能でありパッケージサイズ毎に異なるパッケージガイドをガイド取付金具を介して装置筐体の前面で装置筐体に固定可能としたため、サイズが異なる各種のパッケージの混載を少ない製造コストと容易な作業で可能にすることができるという利点がある。
【図面の簡単な説明】
【００１２】
【図１】パッケージ実装構造が適用された装置筐体の見取図である。
【図２】サイズの異なる３種類のパッケージを例示する見取図である。
【図３】サイズの異なるパッケージの専用パッケージガイドの見取図である。
【図４】ガイド保持金具の見取図である。
【図５】本発明によるパッケージ実装状態の一例を示す見取図である。
【図６】一般的なパッケージ実装構造を例示する見取図である。
【発明を実施するための形態】
【実施例１】
【００１３】
図１は本発明のパッケージ実装構造が適用された装置筐体１を例示している。この装置筐体１は、金属製のパッケージガイドおよびガイド保持金具を使用して、１枚高・１枚幅パッケージ，２枚高・１枚幅パッケージおよび１枚高・２枚幅パッケージを混在実装可能とするものである。背面には配線およびコネクタを備えたバックボードを有し、このバックボードと左右の側板と上下の天板・底板で前面開口の箱形を形成する。左右の側板の前面には、一定の間隔でそれぞれ５つのガイド取付穴２、天板・底板の前面中央には、それぞれ２つのガイド保持金具取付穴３がネジ切られている。ガイド取付穴２の間隔は枚高パッケージの上下実装間隔とされる。
【００１４】
図２は装置筐体１に実装され得る３種類のパッケージを示している。（１）は１枚高・１枚幅パッケージを示し、このような１枚高・１枚幅パッケージは横２列、縦５段に最大で１０枚が実装され得る。（２）は２枚高・１枚幅パッケージを示し、このような２枚高・１枚幅パッケージは横２列、縦２段に最大で４枚が実装され得る。（３）は１枚高・２枚幅パッケージを示し、このような１枚高・２枚幅パッケージは横１列、縦５段に最大で５枚が実装され得る。そして、上記３種類のパッケージを混在実装することも可能である。
【００１５】
図３はパッケージガイドを示しており、（１）は１枚高・１枚幅パッケージに対応する１枚高・１枚幅ガイド、（２）は１枚高・２枚幅パッケージに対応する１枚高・２枚幅ガイドである。パッケージガイドは、底板の左右に側板を有し、前面および背面が開口している。側板の内側にはパッケージを挿抜するためのガイドレール（不図示）が施されている。また、前面の左右の端には、前面と平行かつ側板の外側に向けて側板の高さと等しい高さの取付部４が形成されている。取付部４には、大きい取付穴５と小さい取付穴６がネジ切られている。取付穴５の径と装置筐体１のガイド取付穴２の径は等しい。１枚高・２枚幅ガイドの底板断面の中央には、２つのガイド保持取付穴10がネジ切られている。
【００１６】
図４はガイド保持金具を示しており、（１）はガイド保持金具単体、（２）は２つのガイド保持金具単体を連結した状態を示す。ガイド保持金具単体は、（１）に示されているように、等しい板厚の大きい方形と小さい方形が部分的な重なりを持つように、ずらされて結合されている。大きい方形の左右には大きい取付穴７と小さい取付穴８がそれぞれネジ切られ、小さい方形の中央には小さい２つの取付穴９がネジ切られている。
【００１７】
２つの取付穴９の間隔は、装置筐体１におけるガイド保持金具取付穴３の間隔に等しい。取付穴７の径とパッケージガイドの取付穴５の径と装置筐体１のガイド取付穴２の径は等しい。取付穴８の径とパッケージガイドの取付穴６の径と装置筐体１のガイド保持金具取付穴３の径は等しい。
【００１８】
図５は本発明のパッケージ実装構造によるパッケージ実装状態の一例を示し、下から数えて、１段目に１枚高・１枚幅パッケージを２枚、２段目および３段目の左側に２枚高・１枚幅パッケージを１枚、２段目および３段目の右側に１枚高・１枚幅パッケージを各１枚、４段目に１枚高・２枚幅パッケージを１枚実装した状態を示している。この状態に至るまでの作業手順は以下のとおりである。
【００１９】
先ず、ガイド保持金具単体を３つ連結したガイド保持金具を用意する。装置筐体１の左側に寄せて、下から数えて１段目に１枚高・１枚幅パッケージ、２段目および３段目に２枚高・１枚幅パッケージを積み重ねる。また、装置筐体１の右側に寄せて、下から数えて１段目に１枚高・１枚幅パッケージ、２段目および３段目に２枚高・１枚幅パッケージを積み重ねる。そして、４段目には１枚高・２枚幅パッケージを左右に亘って積み重ねる。
【００２０】
左側に積み重ねた各１枚幅パッケージのガイドの左側の取付穴5-1は、装置筐体１の左側板におけるガイド取付穴2-1と位置が合致する筈である。また、右側に積み重ねた各１枚幅パッケージのガイドの右側の取付穴5-2は、装置筐体１の右側板におけるガイド取付穴2-2と位置が合致する筈である。２枚幅パッケージの左側の取付穴5-1は、装置筐体１の左側板におけるガイド取付穴2-1、２枚幅パッケージの右側の取付穴5-2は、装置筐体１の右側板におけるガイド取付穴2-2と位置が合致する筈である。
【００２１】
次に、３連結したガイド保持金具を装置筐体１の前面から宛がい、ガイド保持金具の左側のそれぞれの取付穴8-1，7-1と、左側に積み重ねた１枚幅ガイドの右側の取付穴6-2，5-2が合致するように、またガイド保持金具の右側のそれぞれの取付穴8-2，7-2と、右側に積み重ねた１枚幅ガイドの左側の取付穴6-1，5-1が合致するように位置合わせする。ガイド保持金具の上方の２つの取付穴９は１枚高・２枚幅パッケージにおけるガイド保持金具取付穴10と位置が一致する筈である。
【００２２】
位置が合致していることが確認できると、対応している各取付穴をネジ締めする。これによって、１枚幅ガイドはパッケージガイドの取り付け穴５とガイド保持金具の取り付け穴７により、２枚幅ガイドはガイド取付穴2-1、2-2により固定され、従って、全てのパッケージガイドが前面において装置筐体１に固定される。このように、パッケージガイドはネジによって装置筐体１に取り付けられるので、装置筐体１にはパッケージガイド用のガイドレールを設ける必要がない。
【００２３】
最後に、図２に示した各パッケージを所定のパッケージガイドに挿入すれば、図５に示した実装状態となる。パッケージはパッケージガイドとバックボード上のコネクタにより固定されることになる。また、実装状態を事後的に変更する場合には、当該パッケージガイドに関連するネジを緩めてパッケージガイドを入れ替えればよく、全ての作業を装置筐体の前面のみで行なうことができて作業が容易である。
【００２４】
以上に説明した実施の形態においては、パッケージを装置筐体の両側板の間に水平に実装しているが、天板と底板の間に垂直に実装するようにした実施の形態も容易に考えられる。また、混載されるパッケージは、１スロット幅または２スロット幅としているが、３スロット幅以上のパッケージも容易に混載させるようにすることもできる。
【００２５】
上記の実施形態の一部又は全部は、以下の付記のようにも記載されうるが、以下には限られない。
【００２６】
（付記１）基準パッケージの複数倍のスロット幅または部品搭載高を有する各種寸法のパッケージを装置筐体に混載できるパッケージ実装構造であって、前記パッケージを挿抜可能とするためのガイドレールが両側板の内側に設けられた前記各種寸法対応のパッケージガイドと、前記装置筐体のパッケージ実装幅に対して複数の前記パッケージガイドが実装される実装段では、隣り合うパッケージガイドを連結するガイド保持金具を有し、前記ガイド保持金具は、前記装置筐体のパッケージ実装段方向に連結可能であって、該連結の始端が前記隣り合うパッケージガイド、終端が前記装置筐体または上段のパッケージガイドの底板に固定されることを特徴とするパッケージ実装構造。
【００２７】
（付記２）前記パッケージガイドは、底板の左右に前記ガイドレールが施されている側板を有して前面および背面が開口し、前記前面の左右の端には前面と平行かつ側板の外側に向けて側板の高さと等しい高さの取付部が形成され、前記取付部は前記装置筐体または前記ガイド保持金具に固定するための取付穴を有することを特徴とする付記１に記載のパッケージ実装構造。
【００２８】
（付記３）前記複数倍のスロット幅対応のパッケージガイドの底板前面の中央には前記ガイド保持金具を取り付けるための取付穴を有することを特徴とする付記２に記載のパッケージ実装構造。
【００２９】
（付記４）前記ガイド保持金具は、等しい板厚の大きい方形と小さい方形が部分的な重なりを持つように、ずらされて結合されたものを単体とし、前記連結は、小さい方形の上に次のガイド保持金具の単体の大きい方形が宛がわれることにより行なわれることを特徴とする付記１〜３に記載のパッケージ実装構造。
【符号の説明】
【００３０】
１          装置筐体
２          ガイド取付穴
３，10      ガイド保持金具取付穴
４          取付部
５〜９      取付穴
【図１】
2012028599.tif 000003
【図２】
2012028599.tif 000004
【図３】
2012028599.tif 000005
【図４】
2012028599.tif 000006
【図５】
2012028599.tif 000007
【図６】
2012028599.tif 000008